(57)【要約】【課題】仮設アンカーを用いることなく地盤内に永久アンカーが施工された壁構造を構築できるようにする。【解決手段】山留め杭１０の打設後、鉄筋コンクリートからなるアンカー定着部材１２を山留め杭１０に構築する。そして、山留め杭１０の内側地盤を根切りしながら、斜め型の永久アンカー１４を打設して緊張し、アンカー定着部材１２に定着固定するという工程を繰り返す。永久アンカー１４の施工完了後、壁構造１６のコンクリートを、アンカー定着部材１２と一体化するように打設する。別の実施形態では、アンカー定着部材を鋼材により構成し、コンクリートに埋め殺すことにより一体化する。その場合、コンクリート打設後に永久アンカー１４の張力を解放して再緊張する。【選択図】図１
2008180082.tif 000002
【特許請求の範囲】
【請求項１】
山留めを打設し、該山留めの内側の地盤を根切りして、アンカーを定着固定するためのアンカー定着部材を前記山留めに構築すると共に、斜め型のアンカーを打設し、当該アンカーを前記アンカー定着部材に定着固定した後、壁構造のコンクリートを前記アンカー定着部材と一体となるように打設することを特徴とする永久アンカーが施工された壁構造の構築方法。
【請求項２】
前記アンカーは複数段に設けられ、上段側から下段側へ各段ごとに、地盤の根切り、前記アンカー定着部材の構築、および、前記アンカーの打設と定着固定を行って、全段のアンカーの施工が完了した後、前記壁構造のコンクリートを打設することを特徴とする請求項１記載の方法。
【請求項３】
前記壁構造は鉄筋コンクリート造または鉄骨鉄筋コンクリート造であり、前記アンカー定着部材を、鉄筋コンクリートにより構築することを特徴とする請求項１または２記載の方法。
【請求項４】
前記壁構造のコンクリートを打設する前に、前記アンカー定着部材の鉄筋と、前記壁構造の鉄筋とを接合することを特徴とする請求項３記載の方法。
【請求項５】
前記壁構造は鉄骨コンクリート造であり、前記アンカー定着部材を鉄骨コンクリートにより構築することを特徴とする請求項１または２記載の方法。
【請求項６】
前記壁構造は鉄骨鉄筋コンクリート造であり、前記アンカー定着部材を鉄骨鉄筋コンクリートにより構築することを特徴とする請求項１または２記載の方法。
【請求項７】
前記山留めの前記アンカー定着部材が構築される部位に、根切り部の内方へ突出する突出部材を設け、前記アンカー定着部材のコンクリートを、前記突出部材が前記アンカー定着部材内へ埋め込まれるように打設することを特徴とする請求項３または４記載の方法。
【請求項８】
前記壁構造の外周面と根切りされた地盤の内側面との間の空間に砕石を設置すると共に、前記壁構造にその内側面と外側面との間を貫通する水抜き管を設けることを特徴とする請求項１〜７のうち何れか１項記載の方法。
【請求項９】
前記山留めへの前記アンカー定着部材の構築部位の上部位置に通水性を有する保持板を取り付けて当該保持板の上に前記砕石を設置し、前記アンカー定着部材にはその上下を貫通する水抜き管を設けることを特徴とする請求項８記載の方法。
【請求項１０】
前記アンカー定着部材を、鋼材により構成したことを特徴とする請求項１または２記載の方法。
【請求項１１】
前記アンカーを前記アンカー定着部材へ定着した後、その張力を緩める工程と、
前記壁構造のコンクリートの打設後に再緊張する工程と、を含むことを特徴とする請求項１〜１０のうち何れか１項記載の方法。
【請求項１２】
地盤に打設された山留めに、アンカーを定着固定するためのアンカー定着部材が構築され、該アンカー定着部材にアンカーが定着固定されていると共に、壁構造のコンクリートが前記アンカー定着部材と一体となるように打設されていることを特徴とする永久アンカーが施工された壁構造。
【請求項１３】
前記アンカー定着部材は、コンクリート部材または鋼材により構成されていることを特徴とする請求項１２記載の壁構造。
【発明の詳細な説明】
【技術分野】
【０００１】
本発明は、永久アンカーが施工された壁構造の構築方法および永久アンカーが施工された壁構造に関する。
【背景技術】
【０００２】
例えば傾斜地に建物外壁や擁壁などの壁構造を構築する場合、斜め型の仮設アンカーを用いた山留め工事を行ってから壁の構築工事を行うのが一般的である（例えば特許文献１を参照）。この特許文献１に記載された仮設アンカーでは、山留め用鋼材を打ち込んだ後、鋼棒からなるアースアンカーを傾斜地の地盤へ斜めに埋め込み、このアースアンカーの端部を止体によって山留め用鋼材に定着している。
【０００３】
これに対して、特許文献２には、山留め杭に斜め型の永久アンカーを施工し、この永久アンカーに土圧を負担させることにより、仮設アンカーを用いることなく構築物を構築する工法が開示されている。この工法では、構築物を上部より一段ずつ構築し、各段の構築が終了する毎に永久アンカーを施工して土圧を負担させるようにしている。
【特許文献１】特開昭６２−６３７２２号公報
【特許文献２】特開平５−２０２５２７号公報
【発明の開示】
【発明が解決しようとする課題】
【０００４】
しかし、仮設アンカーを用いることなく工事を行うことは、斜め型永久アンカーの構築後にその下を根切りする際に、山留め杭のみに土圧を負担させることであり、根切り深さが大きくなると山留め杭の変形も増大してしまうため実用的でない。したがって、従来、傾斜地に壁構造を構築する場合、仮設アンカーを用いざるを得なかった。
【０００５】
上記特許文献１に開示されるような斜め型の仮設アンカーを用いて壁構造の構築工事を行う場合、仮設アンカーや山留め用鋼材を再利用するために、壁構造を構築しながら仮設アンカーを取り外していき、山留用鋼材も解体して除去するのが通常である。しかし、仮設アンカー等を撤去してしまうと、壁構造には大きな土圧が作用する。そこで、壁構造がそのような土圧に耐えられるよう、構築した壁に永久アンカーを施工することが考えられる。
【０００６】
図２４は、仮設アンカーを用いた山留めを行ったうえで、永久アンカーを用いて壁構造を構築する構成を示す断面図であり、図２５は、図２４の左側から見た正面図である。これらの図面を参照して壁構造の施工手順を説明すると、先ず、山留め杭５０を打設し、この山留め杭５０の内側（図１６における左側）の地盤を根切りする。根切り深さが最上段の仮設アンカー施工位置まで達すると、鋼製の腹起こし５２を山留め杭５０に取り付け、この腹起こし５２に仮設アンカー定着固定用の台座５４を固定する。そして、最上段の仮設アンカー５６ａを施工して、台座５４に定着固定する。以後、最下段の仮設アンカー５６ｃまで、このような根切りと仮設アンカー５６の施工とを繰り返す。
【０００７】
仮設アンカー５６の工事が終わると床付を行う。そして、床コンクリート５８を打設し、この床コンクリート５８から上方へ壁構造６０を打設しながら、仮設アンカー５６を下から順に撤去していく。すなわち、図１６および図１７の例では、最下段の仮設アンカー５６ｃ、腹起こし５２、台座５４を撤去してから床コンクリート５８を打設し、次段の仮設アンカー５６ｂ等を撤去してから壁構造６０の最下部を打設し、更に、最上段の仮設アンカー５６ａ等を撤去してから、壁構造６０の残りの部分を打設する。また、壁構造６０の打設を行いながら、斜め型の永久アンカー６２の施工も行う。こうして壁構造６０の構築が完了する。
【０００８】
以上説明したように、図２４および図２５に示す工事では、仮設アンカー５６等の施工や撤去の作業が必要となり、施工コストが増大すると共に工事が長期化してしまう。さらに、山留め杭５０と壁構造６０との間の空間が狭いため、仮設撤去作業は極めて行い難い。しかも、仮設アンカー５６等の撤去作業または外壁型枠作業などは、壁構造６０や永久アンカー６２の施工と並行して行わねばならないため作業が輻輳し、作業効率が悪くなってしまう。
【０００９】
また、仮設アンカー５６と永久アンカー６２の両方を施工するためアンカー施工本数が増大し、この点でもコスト増および工事の長期化を招くと共に、効率的なアンカーの配置計画を行うのが難しいという問題もある。
【００１０】
本発明は上記の点に鑑みてなされたものであり、仮設のアンカーや腹起こしを用いることなく地盤内に壁構造を構築できるようにすることを目的とする。
【課題を解決するための手段】
【００１１】
上記の目的を達成するため、請求項１に記載された発明に係る永久アンカーが施工された壁構造の構築方法は、山留めを打設し、該山留めの内側の地盤を根切りして、アンカーを定着固定するためのアンカー定着部材を前記山留めに構築すると共に、斜め型のアンカーを打設し、当該アンカーを前記アンカー定着部材に定着固定した後、壁構造のコンクリートを前記アンカー定着部材と一体となるように打設することを特徴とする。
【００１２】
本発明によれば、アンカー定着部材を山留めに構築し、このアンカー定着部材にアンカーを定着固定するので、根切り時の土圧をこのアンカーで確実に負担できる。また、壁構造のコンクリートをアンカー定着部材と一体となるように打設するので、上記アンカーを永久アンカーとして用いることができる。したがって、本発明によれば、仮設アンカーを用いることなく、永久アンカーのみで土圧を負担しながら、壁構造を構築できる。また、アンカー定着部材は腹起こしとして機能するので、仮設の腹起こしを用いることも不要となる。なお、本発明における壁構造として、例えば、建物外壁、建物ドライエリアの外壁、傾斜地盤に設けられる擁壁等がある。
【００１３】
また、請求項２に記載された発明は、請求項１記載の方法において、前記アンカーは複数段に設けられ、上段側から下段側へ各段ごとに、地盤の根切り、前記アンカー定着部材の構築、および、前記アンカーの打設と定着固定を行って、全段のアンカーの施工が完了した後、前記壁構造のコンクリートを打設することを特徴とする。
【００１４】
また、請求項３に記載された発明は、請求項１または２記載の方法において、前記壁構造は鉄筋コンクリート造であり、前記アンカー定着部材を、鉄筋コンクリートにより構築することを特徴とする。
【００１５】
また、請求項４に記載された発明は、請求項３記載の方法において、前記壁構造のコンクリートを打設する前に、前記アンカー定着部材の鉄筋と、前記壁構造の鉄筋とを接合することを特徴とする。このようにすれば、壁構造とアンカー定着部材との一体性をより強固にして、壁構造の強度向上を図ることができる。
【００１６】
また、請求項５に記載された発明は、前記壁構造は鉄骨コンクリート造であり、前記アンカー定着部材を鉄骨コンクリートにより構築することを特徴とする。
【００１７】
また、請求項６に記載された発明は、前記壁構造は鉄骨鉄筋コンクリート造であり、前記アンカー定着部材を鉄骨鉄筋コンクリートにより構築することを特徴とする。
【００１８】
また、請求項７に記載された発明は、請求項３または４記載の方法において、前記山留めの前記アンカー定着部材が構築される部位に、根切り部の内方へ突出する突出部材を設け、前記アンカー定着部材のコンクリートを、前記突出部材が前記アンカー定着部材内へ埋め込まれるように打設することを特徴とする。このようにすれば、山留めに設けられた突出部材がアンカー定着部材に埋め込まれることで、アンカー定着部材と山留めとの一体化を図ることができる。
【００１９】
また、請求項８に記載された発明は、請求項１〜７のうち何れか１項記載の方法において、前記壁構造の外周面と根切りされた地盤の内側面との間の空間に砕石を設置すると共に、前記壁構造にその内側面と外側面との間を貫通する水抜き管を設けることを特徴とする。このようにすれば、地盤内の水を、砕石および水抜き管を介して、壁構造の内側へ排出させることができる。
【００２０】
また、請求項９に記載された発明は、請求項８記載の方法において、前記山留めへの前記アンカー定着部材の構築部位の上部位置に通水性を有する保持板を取り付けて当該保持板の上に前記砕石を設置し、前記アンカー定着部材にはその上下を貫通する水抜き管を設けることを特徴とする。このようにすれば、地盤から砕石に滲み出した水を、アンカー定着部材の水抜き管を介して下段の砕石に導くことができ、地盤の水抜きをより効果的に行うことができる。
【００２１】
また、請求項１０に記載された発明は、請求項１〜９のうち何れか１項記載の方法において、前記アンカー定着部材を鋼材により構成したことを特徴とする。このようにすれば、アンカー定着部材をコンクリートに埋め殺すだけで、コンクリートとの一体化を図ることができるので、コンクリートとアンカー定着部材とを一体化させるための工程を簡単化できる。
【００２２】
また、請求項１１に記載された発明は、請求項１〜１０のうち何れか１項記載の方法において、前記アンカーを前記アンカー定着部材へ定着した後、その張力を緩める工程と、前記壁構造のコンクリートの打設後に再緊張する工程と、を含むことを特徴とする。このようにすれば、アンカーの張力を緩めることにより、壁構造のコンクリートに土圧の一部を負担させることができ、その後、アンカーを再緊張することで、壁構造のコンクリートとアンカー定着部材をより強固に一体化させることができる。
【００２３】
また、請求項１２に記載された発明に係る永久アンカーが施工された壁構造は、地盤に打設された山留めに、アンカーを定着固定するためのアンカー定着部材が構築され、該アンカー定着部材にアンカーが定着固定されていると共に、壁構造のコンクリートが前記アンカー定着部材と一体となるように打設されていることを特徴とする。
【００２４】
また、請求項１３に記載された発明は、請求項１２記載の壁構造において、前記アンカー定着部材は、コンクリート部材または鋼材により構成されていることを特徴とする。
【発明の効果】
【００２５】
本発明によれば、仮設のアンカーや腹起こしを用いることなく地盤内に永久アンカーが施工された壁構造を構築することができる。
【発明を実施するための最良の形態】
【００２６】
図１は、本発明の一実施形態である壁構造の構築工事により構築された鉄筋コンクリート造の壁構造を示す断面図であり、図２は、図１の壁構造を同図中左側からみた正面図である。また、図３は、図２おける永久アンカー施工部分を示す（図２のIII部）拡大正面図であり、図４は図１のIV−IV断面図であり、図５は図１のV−V断面図である。
【００２７】
これらの図面に示すように、本実施形態における構築物は、概略、山留め杭１０と、山留め杭１０に取り付けられたアンカー定着部材１２と、アンカー定着部材１２に定着固定された斜め型の永久アンカー１４と、アンカー定着部材１２と一体に打設された壁構造１６と、この壁構造１６と一体の床部１８とにより構成される。壁構造１６は、例えば、建物外壁、ドライエリア部の外壁、あるいは、擁壁などである。なお、図１では、３段の永久アンカー１４（上から順に、永久アンカー１４ａ，１４ｂ，１４ｃ）を設けた場合を示しているが、永久アンカー１４の段数はこれに限らない。
【００２８】
山留め杭１０は例えばＨ型鋼からなり、壁構造１６の外壁面に沿って複数本が地盤に打設されている。また、アンカー定着部材１２は鉄筋コンクリート製部材であり、上記複数本の山留め杭１０に跨って水平方向に梁状に延びている。したがって、アンカー定着部材１２は、永久アンカー１４の張力を山留め杭１０へ伝達する腹起こしとしての役割も有している。
【００２９】
また、本実施形態では、山留め杭１０と壁構造１６との間の空間に砕石２２を充填すると共に、壁構造１６に水抜き管２４を埋設し、さらに、アンカー定着部材１２に水抜き管２６を埋設することにより、地盤から壁構造１６の内側へ地盤の水抜きを行えるようにしている。ただし、地盤の水抜きを行う必要がない場合はこれらの構成は不要であり、壁構造１６が山留め杭１０に密着するようにコンクリートを打設すればよい。
【００３０】
図６〜図１５は、上記図１〜図５に示す壁構造の構築工程を示す図である。図６に示すように、先ず、山留め杭１０を打設し、所定深さ（最上段の永久アンカー１４ａの打設位置底部）まで根切りを行う。そして、山留め杭１０の側面に例えばアングル材等を用いて砕石保持板２８を取り付け、さらに、砕石保持板２８の先端から上方に延びる砕石止めとなる波型鋼板３０を取り付けて、この波型鋼板３０と根切りした地盤側面との間の空間に砕石２２を充填する。砕石保持板２８は例えば網目状に構成されるなどして、各段の砕石２２の水は、直下のアンカー定着部材１２の水抜き管２６を通って下段の砕石２２へ抜けることができるようになっている。なお、波型鋼管３０の、壁構造１６に設けられた水抜き管２４の端部に対向する位置には穴が開けられており、この穴を通って砕石２２内の水が水抜き管２４へ流れ出せるようになっている。
【００３１】
次に、図７に示すように、根切り部底面のアンカー定着部材１２の構築位置に捨てコンクリート３１を打設すると共に、山留め杭１０のフランジ面に、突出部材としてのスタッド３２を溶接する。また、アンカー定着部材１２を打設するための型枠を配置して、永久アンカー１４の施工用のガイド管３４および上記水抜き管２６を設置する。そして、ガイド管３４の周囲にらせん鉄筋３５を配筋すると共にアンカー定着部材１２の鉄筋を配筋し、型枠内にコンクリートを打設する。その際、アンカー定着部材１２の鉄筋をその上面から突出させ、さらに、その下面からも鉄筋が捨てコンクリート３１を貫通して突出し先端が地盤へ埋め込まれるように配筋する。このようにアンカー定着部材１２から上下に突出する鉄筋の端部には、好ましくは、後述する壁構造１６の鉄筋との接合を簡単に行なえるようにねじ鉄筋接合が施されている。
【００３２】
次に、図８に示すように、永久アンカー１４を打設する。永久アンカー１４の打設は、ガイド管３４の内側から支持盤に達するまで斜め方向に削孔して、この孔の底までシース管に挿通されたアンカー鋼材３６を挿入し、グラウト材を注入することによりアンカー鋼材３６を地盤に固定するという周知の工法で行うことができる。そして、グラウト材の養生後、図９に示すように、アンカー鋼材３６を緊張し、定着金具３８でアンカー定着部材１２に定着固定する。
【００３３】
なお、以上の説明では、アンカー定着部材１２の構築後に永久アンカー１４を打設するものとしたが、永久アンカー１４を打設した後、アンカー定着部材１２を構築し、これに永久アンカー１４を定着固定するようにしてもよい。
【００３４】
次に、図１０に示すように、次段の永久アンカー１４ｂの深さまで根切りを行い、上記図６〜図９と同様の工程により施工を行う。このような工程を最下段の永久アンカー１４ｃまで繰り返す（図１１）。
【００３５】
最下段の永久アンカー１４ｃまで施工した後、更に、床部１８の打設深さまで根切りを継続し、根切り完了後、壁構造１６および床部１８の配筋を行う。その際、壁構造１６の鉄筋を、上述のようにアンカー定着部材１２の上下から突出して配筋された鉄筋へ例えばねじ込み式に接合することで、壁構造１６とアンカー定着部材１２との強固な一体性を確保できるようにしている。
【００３６】
壁構造１６および床部１８の配筋後、図１２に示すように、床部１８のコンクリートを打設し、さらに、最下段のアンカー定着部材１２の高さまで壁構造１６のコンクリートを打設する。その際、予め型枠内に水抜き管２４を設置しておく。コンクリートの打設後、最下段の永久アンカー１４ｃのアンカー鋼材３６の張力を測定し、必要があればアンカー鋼材３６を再度緊張する。そして、一つ上段のアンカー定着部材１２まで、上記と同様にして壁構造１６のコンクリートを打設し、当該アンカー定着部材１２に定着固定すべき永久アンカー１４ｂのアンカー鋼材３６を必要に応じて緊張する。このような壁構造１６の打設作業を最上段のアンカー定着部材１２まで繰り返し（図１３〜図１４を参照）、さらに、壁の最上部のコンクリート１６ａを打設することで（図１５を参照）、図１に示す壁構造の構築が完了する。
【００３７】
以上説明したように、本実施形態によれば、山留め杭１０に構築したアンカー定着部材１２に永久アンカー１４を定着固定するので、根切り時に地盤の土圧を永久アンカー１４で確実に負担することができる。また、永久アンカー１４を施工しながら、壁構造１６のコンクリートを、永久アンカー１４が定着固定されたアンカー定着部材１２と一体となるように打設することにより、仮設アンカーや仮設腹起こしを用いることなく壁構造１６を構築することができる。さらに、アンカー定着部材１２が山留め杭１０の腹起こしとしても機能するので、別途仮設の腹起こしを用いることも不要である。そして、このアンカー定着部材１２が壁構造１６の一部として一体化されるため、仮設アンカーを用いた場合のように、仮設アンカーや腹起こしの撤去作業が全く不要となり、工期短縮および工事コストの低減を図ることができる。
【００３８】
また、仮設アンカーの施工が不要となることで、アンカー本数の総数も少なくなり、この点でも、工期短縮およびコスト低減を図ることができる。さらに、アンカー本数が少なくなることで効果的なアンカーの配置計画も行い易くなるため、構築した壁構造１６の品質向上を図ることもできる。
【００３９】
また、本実施形態では、アンカー定着部材１２を鉄筋コンクリートで構成し、その鉄筋コンクリートを壁構造１６の鉄筋と接合することで、アンカー定着部材１２と壁構造１６との強固な一体性を確保することができる。このため、設計上、アンカー定着部材１２を壁構造１６の一部とみなせるようになり、壁構造１６を一体のコンクリートで構築した場合と同様の高い強度を得ることができる。
【００４０】
さらに、本実施形態では、山留め杭１０と壁構造１６との間に砕石２２を設置すると共に、アンカー定着部材１２および壁構造１６に水抜き管２４，２６を設けることで、地盤からの水抜きを行うことができる。すなわち、地盤内の水は砕石２２を通過して壁構造１６の水抜き管２４から壁の内側へ排出され、また、アンカー定着部材１２で上下に分断された各段の砕石２２の水は、アンカー定着部材１２の水抜き管２６通って下段の砕石２２へ移動できるので、砕石２２による水抜きはより効果的に行われる。したがって、本実施形態によれば、壁構造１６の外壁面にかかる水圧を緩和することができる。
【００４１】
なお、上記実施形態では、山留めとしてＨ型鋼からなる山留め杭１０を用い、この山留め杭１０に構築したアンカー定着部材１２を腹起こしとしても機能させる構成としたが、本発明における山留めはこれに限らず、例えば鋼管矢板壁、柱列山留壁、連続地中壁などの山留め工法に用いることもできる。
【００４２】
また、上記実施形態では、壁構造１６が鉄筋コンクリート造であるものとして、これに対応してアンカー定着部材１２も鉄筋コンクリートにより構築し、両者の鉄筋を接合することにより一体性を高めるものとした。しかしながら、本発明はこれに限らず、例えば、壁構造１６が鉄骨コンクリート造である場合はアンカー定着部材１２も鉄骨コンクリートで構成し、壁構造１６が鉄骨鉄筋コンクリートである場合はアンカー定着部材１２も鉄骨鉄筋コンクリートで構成することにより、アンカー定着部材１２と壁構造１６との一体化を図る構成とすることも可能である。
【００４３】
次に、本発明の第２の実施形態について説明する。図１６は、本実施形態において構築される鉄筋コンクリート造の壁構造を示す断面図である。なお、本実施形態において、上記第１実施形態と同様の構成部分には同一の符号を付してその説明を省略する。  
図１６に示す如く、本実施形態では、上記第１実施形態のアンカー定着部材１２に代えて、鉄骨部材からなるアンカー定着部材１００を設けている。図１７は、本実施形態のアンカー定着部材１００およびその周辺部を拡大して示す断面図であり、また、図１８は、図１７における左側からみた正面図である。
【００４４】
図１７および図１８に示す如く、アンカー定着部材１００は、概略、補強リブ材１０２、斜め支持材１０４、腹起こし材１０６等により構成されている。補強リブ材１０２は、例えばＨ型鋼等の鋼材であり、その上下フランジ１０２ａ、１０２ｂおよびウエブ１０２ｃが山留め杭１０に対して垂直となるように、山留め杭１０に溶接されている。補強リブ材１０２の下フランジ１０２ｂの下面には補強材１０３が溶接されている。
【００４５】
補強リブ材１０２の上フランジ１０２ａの上側には、斜め支持材１０４が設けられている。斜め支持材１０４は、下側の端面１０４ａが斜めに切断されたＨ型鋼等の鋼材により構成されており、この端面１０４ａが補強リブ材１０２の上フランジ１０２ａの上面に溶接されている。また、斜め支持材１０４の斜め下側のフランジ１０４ｃには、水平方向に延びる補強材１０５が溶接されている。この補強材１０５は例えば断面がＣ型の鋼材により構成されている。
【００４６】
斜め支持材１０４の上側の端面１０４ｃには、保持プレート１０７が溶接されており、この保持プレート１０７により腹起こし材１０６が保持されている。腹起こし材１０６は、例えば、Ｈ型鋼を縦２段に重ねてボルト結合してなる鉄骨材１０６ａを２本平行に並べて構成されており、複数本の山留め杭１０に跨って水平方向に延びている。これら鉄骨材１０６ａは水平方向に所定間隔で設けられた接続プレート１０８により互い接続されている。そして、腹起こし材１０６の、隣接する山留め杭１０の中間部に永久アンカー１４が定着されている。なお、後述するように、本実施形態では、永久アンカー１４を、コンクリート打設前に腹起こし材１０６の上部フランジ１０６ａに定着し、コンクリート打設後に再緊張して腹起こし材１０６の下部フランジ１０６ｂに定着するようにしており、図１７では、コンクリート打設前の定着位置を実線で、コンクリート打設後の定着位置を破線で夫々示している。
【００４７】
図１９〜図２３は、本実施形態における壁構造の構築工程を示す図である。先ず、図１９に示すように、山留め杭１０を打設して最上段の永久アンカー１４の位置まで根切りを行った後、山留め杭１０に補強リブ材１０２を溶接し、さらに、補強リブ材１０２に斜め支持材１０４を溶接して、腹起こし材１０６を取り付けること等によりアンカー定着部材１００を構築する。次に、永久アンカー１４を斜め方向に打設した後、アンカー鋼材３６を緊張し、台座１１０により腹起こし材１０６の上部フランジ１０６ａに定着固定する。また、波型鋼板３０を設置して、補強リブ材１０２の上側の波型鋼板３０と根切りした地盤側面との間の空間に砕石２２を充填する。
【００４８】
次に、図２０に示すように、次段の永久アンカー１４ｂの深さまで根切りを行い、上記図１９の場合と同様にして、アンカー定着部材１００の構築および永久アンカー１４の施工を行う。このような工程を最下段の永久アンカー１４ｃまで繰り返す（図２１）。
【００４９】
最下段の永久アンカー１４ｃまで施工した後、更に、床部１８の打設深さまで根切りを継続し、根切り完了後、壁構造１６および床部１８の鉄筋を配筋して、図２２に示すように、最下段のアンカー定着部材１００の高さ（腹起こし材１０６がコンクリートから露出する程度の高さ）まで壁構造１６のコンクリートを打設する。なお、壁構造１６の鉄筋は、一段上のコンクリートの鉄筋と重ね継手を行える長さ分だけ、コンクリートの打設高さより上方の位置まで配筋しておく。コンクリートの打設後、最下段の永久アンカー１４ｃのアンカー鋼材３６の張力をいったん開放した後、再緊張して、台座１１２により腹起こし材１０６の下部フランジ１０６ｂに定着する。このようにアンカー鋼材３６の張力をいったん開放することにより、打設した壁構造１６のコンクリートが地盤の土圧の一部を負担することとなる。これにより、壁構造１６とアンカー定着部材１００との一体性が強化されると共に、土圧を壁構造１６とアンカー定着部材１００とでほぼ同様に受けることとなり、壁構造１６の設計が行い易くなる。なお、上記の説明では、永久アンカー１４の２度目の緊張時（本設時）には、最初の緊張時（仮設時）から定着位置を腹起こし材１０６の下部フランジ１０６ｂへ下げることで、仮設時にアンカー鋼材３６の定着位置に生じた凹みが本設後のアンカー鋼材３６に残らないようにしている。ただし、そのような凹みがアンカー鋼材３６の強度に影響を与えることはないので、仮設時と本設時とで同じ位置にて永久アンカー１４を定着するようにしてもよい。
【００５０】
次に、図２３に示すように、一段上のアンカー定着部材１００まで壁構造１６のコンクリートを打設し、その際、永久アンカー１４の再緊張が済んだ下段のアンカー定着部材１００はコンクリートに埋め殺す。そして、上記と同様にして、アンカー鋼材３６の張力をいったん開放した後、再緊張して定着固定する。このような壁構造１６の打設および永久アンカーの再緊張の作業を最上段のアンカー定着部材１２まで繰り返し、さらに、壁の最上部のコンクリートを打設することで、図１６に示す壁構造の構築が完了する。
【００５１】
以上説明したように、本実施形態では、アンカー定着部材１００を鋼材で構成し、この鋼材を壁構造１６のコンクリートに埋め殺すことで、アンカー定着部材１００と壁構造１６のコンクリートとを一体化するようにしている。このため、上記第１実施形態のようにアンカー定着部材１２の鉄筋と壁構造１６の鉄筋とを接合するための作業が不要となるので、その分、工数を減らすことができる。また、壁構造１６のコンクリートを打設した後、永久アンカー１４の張力をいったん解放して再緊張することで、アンカー定着部材１００と壁構造１６との一体性をより強化なものとすることができる。
【００５２】
なお、上記の説明では、壁構造１６のコンクリートを各段のアンカー定着部材１００の高さまで打設した後、永久アンカー１４の張力を解放して再緊張するものとしたが、これに限らず、先に永久アンカー１４の張力を解放した後、壁構造１６のコンクリートを打設し、コンクリート打設後に再緊張するようにしてもよい。
【００５３】
また、本実施形態のように永久アンカー１４を再緊張する工法は、上記第１実施形態の場合に適用することもできる。すなわち、上記第１実施形態においても、アンカー定着部材１２と一体に壁構造１６のコンクリートを打設した状態（例えば図１２に示す状態）で、当該アンカー定着部材１２に定着した永久アンカー１４の張力をいったん開放した後、再緊張させるのである。このようにすれば、張力を開放した時点で、土圧がアンカー定着部材１２と共に壁構造１６のコンクリートでも負担されるようになり、その後、永久アンカー１４を再緊張することで、壁構造１６とアンカー定着部材１２との一体性をより強固にすることができる。
【図面の簡単な説明】
【００５４】
【図１】本発明の一実施形態である壁構造の構築工事により構築された鉄筋コンクリート造の壁構造を示す断面図である。
【図２】図１の壁構造を同図中左側からみた側面図である。
【図３】図２おける永久アンカー施工部分を示す拡大側面図である。
【図４】図１のIV−IV断面図である。
【図５】図１のV−V断面図である。
【図６】本実施形態における壁構造の構築工程を示す図（その１）である。
【図７】本実施形態における壁構造の構築工程を示す図（その２）である。
【図８】本実施形態における壁構造の構築工程を示す図（その３）である。
【図９】本実施形態における壁構造の構築工程を示す図（その４）である。
【図１０】本実施形態における壁構造の構築工程を示す図（その５）である。
【図１１】本実施形態における壁構造の構築工程を示す図（その６）である。
【図１２】本実施形態における壁構造の構築工程を示す図（その７）である。
【図１３】本実施形態における壁構造の構築工程を示す図（その８）である。
【図１４】本実施形態における壁構造の構築工程を示す図（その９）である。
【図１５】本実施形態における壁構造の構築工程を示す図（その１０）である。
【図１６】本発明の第２の実施形態において構築される鉄筋コンクリート造の壁構造を示す断面図ある。
【図１７】本実施形態のアンカー定着部材およびその周辺部を拡大して示す断面図である。
【図１８】図１７における左側からみた正面図である。
【図１９】本実施形態における壁構造の構築工程を示す図（その１）である。
【図２０】本実施形態における壁構造の構築工程を示す図（その２）である。
【図２１】本実施形態における壁構造の構築工程を示す図（その３）である。
【図２２】本実施形態における壁構造の構築工程を示す図（その４）である。
【図２３】本実施形態における壁構造の構築工程を示す図（その５）である。
【図２４】仮設アンカーを用いた山留を行ったうえで、永久アンカーを用いて壁構造を構築した構成を示す断面図である。
【図２５】図２４の左側から見た正面図である。
【符号の説明】
【００５５】
１０  山留め杭
１２  アンカー定着部材
１４（１４ａ，１４ｂ，１４ｃ）  永久アンカー
１６  壁構造
２２  砕石
２４，２６  水抜き管
２８  砕石保持板
３２  スタッド
１００  アンカー定着部材
１０２  補強リブ材
１０４  斜め支持材
１０６  腹起こし材
【図１】
2008180082.tif 000003
【図２】
2008180082.tif 000004
【図３】
2008180082.tif 000005
【図４】
2008180082.tif 000006
【図５】
2008180082.tif 000007
【図６】
2008180082.tif 000008
【図７】
2008180082.tif 000009
【図８】
2008180082.tif 000010
【図９】
2008180082.tif 000011
【図１０】
2008180082.tif 000012
【図１１】
2008180082.tif 000013
【図１２】
2008180082.tif 000014
【図１３】
2008180082.tif 000015
【図１４】
2008180082.tif 000016
【図１５】
2008180082.tif 000017
【図１６】
2008180082.tif 000018
【図１７】
2008180082.tif 000019
【図１８】
2008180082.tif 000020
【図１９】
2008180082.tif 000021
【図２０】
2008180082.tif 000022
【図２１】
2008180082.tif 000023
【図２２】
2008180082.tif 000024
【図２３】
2008180082.tif 000025
【図２４】
2008180082.tif 000026
【図２５】
2008180082.tif 000027
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
山留めを打設し、該山留めの内側の地盤を根切りして、アンカーを定着固定するためのアンカー定着部材を前記山留めに構築すると共に、斜め型のアンカーを打設し、当該アンカーを前記アンカー定着部材に定着固定した後、壁構造のコンクリートを前記アンカー定着部材と一体となるように打設することを特徴とする永久アンカーが施工された壁構造の構築方法。
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
山留めを打設し、該山留めの内側の地盤を根切りして、アンカーを定着固定するためのアンカー定着部材を前記山留めに構築すると共に、斜め型のアンカーを打設し、当該アンカーを前記アンカー定着部材に定着固定した後、壁構造のコンクリートを前記アンカー定着部材と一体となるように打設する永久アンカーが施工された壁構造の構築方法であって、
前記アンカー定着部材を複数段に構築して、各段のアンカー定着部材に、緊張したアンカーを定着し、
前記アンカー定着部材の最下段から最上段へ向けて段毎に、前記壁構造のコンクリートを、前記アンカー定着部材の、前記アンカーの定着位置よりも低い位置まで打設する第１の工程と、アンカー定着部材に定着されたアンカーを再緊張する第２の工程とを行った後、前記壁構造の最上部のコンクリートを打設することを特徴とする方法。
【請求項２】
前記アンカー定着部材の段毎に、前記第１の工程の後、前記第２の工程の前に前記アンカーの張力を緩める工程を行い、前記第２の工程で前記アンカーを再緊張することを特徴とする請求項１記載の方法。
【請求項３】
請求項１又は２に記載の方法により構築された、永久アンカーが施工された壁構造。
【手続補正３】
【補正対象書類名】明細書
【補正対象項目名】０００６
【補正方法】変更
【補正の内容】
【０００６】
図２４は、仮設アンカーを用いた山留めを行ったうえで、永久アンカーを用いて壁構造を構築する構成を示す断面図であり、図２５は、図２４の左側から見た正面図である。これらの図面を参照して壁構造の施工手順を説明すると、先ず、山留め杭５０を打設し、この山留め杭５０の内側（図２４における左側）の地盤を根切りする。根切り深さが最上段の仮設アンカー施工位置まで達すると、鋼製の腹起こし５２を山留め杭５０に取り付け、この腹起こし５２に仮設アンカー定着固定用の台座５４を固定する。そして、最上段の仮設アンカー５６ａを施工して、台座５４に定着固定する。以後、最下段の仮設アンカー５６ｃまで、このような根切りと仮設アンカー５６の施工とを繰り返す。
【手続補正４】
【補正対象書類名】明細書
【補正対象項目名】０００７
【補正方法】変更
【補正の内容】
【０００７】
仮設アンカー５６の工事が終わると床付を行う。そして、床コンクリート５８を打設し、この床コンクリート５８から上方へ壁構造６０を打設しながら、仮設アンカー５６を下から順に撤去していく。すなわち、図２４および図２５の例では、最下段の仮設アンカー５６ｃ、腹起こし５２、台座５４を撤去してから床コンクリート５８を打設し、次段の仮設アンカー５６ｂ等を撤去してから壁構造６０の最下部を打設し、更に、最上段の仮設アンカー５６ａ等を撤去してから、壁構造６０の残りの部分を打設する。また、壁構造６０の打設を行いながら、斜め型の永久アンカー６２の施工も行う。こうして壁構造６０の構築が完了する。
【手続補正５】
【補正対象書類名】明細書
【補正対象項目名】０００８
【補正方法】変更
【補正の内容】
【０００８】
以上説明したように、図２４および図２５に示す工事では、仮設アンカー５６等の施工や撤去の作業が必要となり、施工コストが増大すると共に工事が長期化してしまう。さらに、山留め杭５０と壁構造６０との間の空間が狭いため、仮設撤去作業は極めて行い難い。しかも、仮設アンカー５６等の撤去作業または外壁型枠作業などは、壁構造６０や永久アンカー６２の施工と並行して行わねばならないため作業が輻輳し、作業効率が悪くなってしまう。
【手続補正６】
【補正対象書類名】明細書
【補正対象項目名】００１１
【補正方法】変更
【補正の内容】
【００１１】
上記の目的を達成するため、請求項１に記載された発明は、山留めを打設し、該山留めの内側の地盤を根切りして、アンカーを定着固定するためのアンカー定着部材を前記山留めに構築すると共に、斜め型のアンカーを打設し、当該アンカーを前記アンカー定着部材に定着固定した後、壁構造のコンクリートを前記アンカー定着部材と一体となるように打設する永久アンカーが施工された壁構造の構築方法であって、
前記アンカー定着部材を複数段に構築して、各段のアンカー定着部材に、緊張したアンカーを定着し、
前記アンカー定着部材の最下段から最上段へ向けて段毎に、前記壁構造のコンクリートを、前記アンカー定着部材の、前記アンカーの定着位置よりも低い位置まで打設する第１の工程と、アンカー定着部材に定着されたアンカーを再緊張する第２の工程とを行った後、前記壁構造の最上部のコンクリートを打設することを特徴とする。
【手続補正７】
【補正対象書類名】明細書
【補正対象項目名】００１３
【補正方法】変更
【補正の内容】
【００１３】
また、請求項２に記載された発明は、請求項１記載の方法において、前記アンカー定着部材の段毎に、前記第１の工程の後、前記第２の工程の前に前記アンカーの張力を緩める工程を行い、前記第２の工程で前記アンカーを再緊張する。
【手続補正８】
【補正対象書類名】明細書
【補正対象項目名】００１４
【補正方法】変更
【補正の内容】
【００１４】
また、請求項３に記載された発明は、請求項１又は２に記載の構築方法により構築された、永久アンカーが施工された壁構造である。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００３６
【補正方法】変更
【補正の内容】
【００３６】
壁構造１６および床部１８の配筋後、図１２に示すように、床部１８のコンクリートを打設し、さらに、最下段のアンカー定着部材１２の高さまで壁構造１６のコンクリートを打設する。その際、予め型枠内に水抜き管２４を設置しておく。コンクリートの打設後、最下段の永久アンカー１４ｃのアンカー鋼材３６を再度緊張する。そして、一つ上段のアンカー定着部材１２まで、上記と同様にして壁構造１６のコンクリートを打設し、当該アンカー定着部材１２に定着固定すべき永久アンカー１４ｂのアンカー鋼材３６を再緊張する。このような壁構造１６の打設作業を最上段のアンカー定着部材１２まで繰り返し（図１３〜図１４を参照）、さらに、壁の最上部のコンクリート１６ａを打設することで（図１５を参照）、図１に示す壁構造の構築が完了する。
【手続補正２０】
【補正対象書類名】明細書
【補正対象項目名】００４０
【補正方法】変更
【補正の内容】
【００４０】
さらに、本実施形態では、山留め杭１０と壁構造１６との間に砕石２２を設置すると共に、アンカー定着部材１２および壁構造１６に水抜き管２４，２６を設けることで、地盤からの水抜きを行うことができる。すなわち、地盤内の水は砕石２２を通過して壁構造１６の水抜き管２４から壁の内側へ排出され、また、アンカー定着部材１２で上下に分断された各段の砕石２２の水は、アンカー定着部材１２の水抜き管２６を通って下段の砕石２２へ移動できるので、砕石２２による水抜きはより効果的に行われる。したがって、本実施形態によれば、壁構造１６の外壁面にかかる水圧を緩和することができる。